(57)【要約】【課題】内容物を詰め合わせた箱であって、運搬用の箱の形状から手間無く展示用の形状に変形することができる箱を提供することにある。【解決手段】底面を形成する底面板と、前記底面板の周縁にて連設している複数の側面板と、前記側面板と連設しかつ開口部の少なくとも一部を形成する上面板と、を有する箱であって、前記複数の側面板は前記底面板を挟んで対向する第１の側面板対を含み、前記第１の側面板対の各側面板は開口部側の辺から底面板側の辺に向けて延びる切り取り線を有し、前記底面板は前記切り取り線の底面板側の端部を結ぶ折曲線を有することを特徴とする箱である。【選択図】図１
2013180814.tif 000002
【特許請求の範囲】
【請求項１】
底面を形成する底面板と、前記底面板の周縁にて連設している複数の側面板と、前記側面板と連設しかつ開口部の少なくとも一部を形成する上面板と、を有する箱であって、前記複数の側面板は前記底面板を挟んで対向する第１の側面板対を含み、前記第１の側面板対の各側面板は開口部側の辺から底面板側の辺に向けて延びる切り取り線を有し、前記底面板は前記切り取り線の底面板側の端部を結ぶ折曲線を有することを特徴とする箱。
【請求項２】
底面を形成する底面板と、前記底面板の周縁にて連設している複数の側面板と、前記側面板と連設しかつ開口部の少なくとも一部を形成する上面板と、を有する箱であって、前記複数の側面板は前記底面板を挟んで対向する第１の側面板対を含み、前記第１の側面板対の各側面板は開口部側の辺から底面板側の辺に向けて延びる切り取り線を有し、前記底面板は前記切り取り線の底面板側の端部を結ぶ切り取り線を有することを特徴とする箱。
【請求項３】
前記上面板は前記第１の側面板対の各側面板と連設し、前記切り取り線は前記上面板において前記開口部の辺に向かって延びていることを特徴とする請求項１または請求項２に記載の箱。
【請求項４】
前記切り取り線の開口部側の端部はノッチ形状の切断開始部となっており、前記切断開始部の角部が曲線状であることを特徴とする請求項１乃至３のいずれかに記載の箱。
【請求項５】
前記複数の側面板は前記底面板を挟んで対向する第２の側面板対を含み、前記上面板は第１の側面板対の側面板ごとに連設する第１の上面板と、第２の側面板対の側面板ごとに連設する第２の上面板とを含み、前記第１の側面板対の各側面板と前記第１の上面板との連設部に切込部を有し、前記第２の上面板に連設しかつ前記切込部に嵌合する差込部を有する、ことを特徴とする請求項１乃至４のいずれかに記載の箱。
【発明の詳細な説明】
【技術分野】
【０００１】
本発明は内容物を詰め合わせて運搬、及び展示ができる箱に関する。
【背景技術】
【０００２】
従来から、商品の陳列場所の省スペース化や商品の陳列作業の手間を削減することを目的に、商品の運搬に用いている箱を変形して展示用のケースとしてそのまま転用できる箱が求められている。
【０００３】
運搬用と展示用を兼用する箱としては、例えば３個のケースが左右に並列されており、三角形状に折り曲げて変形することで、安定した状態でテーブル等に載置して展示できる箱が提案されている（特許文献１）。
【先行技術文献】
【特許文献】
【０００４】
【特許文献１】実公昭６３−４８５２３
【発明の概要】
【発明が解決しようとする課題】
【０００５】
しかし、特許文献１に係る考案については、箱を三角形状に変形するためには、蓋板およびカバー板に設けられているミシン線を切断して各蓋板および各カバー板を分離し、その後に背板を折り曲げて変形しなければならないため、変形作業に手間がかかるという問題があった。
【０００６】
そこで、本発明の目的は、運搬用の箱を手間無く展示用に変形することができる箱を提供することにある。
【課題を解決するための手段】
【０００７】
請求項１に記載の発明は、底面を形成する底面板と、前記底面板の周縁にて連設している複数の側面板と、前記側面板と連設しかつ開口部の少なくとも一部を形成する上面板と、を有する箱であって、前記複数の側面板は前記底面板を挟んで対向する第１の側面板対を含み、前記第１の側面板対の各側面板は開口部側の辺から底面板側の辺に向けて延びる切り取り線を有し、前記底面板は前記切り取り線の底面板側の端部を結ぶ折曲線を有することを特徴とする箱である。
【０００８】
請求項２に記載の発明は、底面を形成する底面板と、前記底面板の周縁にて連設している複数の側面板と、前記側面板と連設しかつ開口部の少なくとも一部を形成する上面板と、を有する箱であって、前記複数の側面板は前記底面板を挟んで対向する第１の側面板対を含み、前記第１の側面板対の各側面板は開口部側の辺から底面板側の辺に向けて延びる切り取り線を有し、前記底面板は前記切り取り線の底面板側の端部を結ぶ切り取り線を有することを特徴とする箱である。
【０００９】
請求項３に記載の発明は、前記上面板は前記第１の側面板対の各側面板と連設し、前記切り取り線は前記上面板において前記開口部の辺に向かって延びていることを特徴とする請求項１または請求項２に記載の箱である。
【００１０】
請求項４に記載の発明は、前記切り取り線の開口部側の端部はノッチ形状の切断開始部となっており、前記切断開始部の角部が曲線状であることを特徴とする請求項１乃至３のいずれかに記載の箱である。
【００１１】
請求項５に記載の発明は、前記複数の側面板は前記底面板を挟んで対向する第２の側面板対を含み、前記上面板は第１の側面板対の側面板ごとに連設する第１の上面板と、第２の側面板対の側面板ごとに連設する第２の上面板とを含み、前記第１の側面板対の各側面板と前記第１の上面板との連結部に切込部を有し、前記第２の上面板に連設しかつ前記切込部に嵌合する差込部を有する、ことを特徴とする請求項１乃至４のいずれかに記載の箱である。
【図面の簡単な説明】
【００１２】
【図１】本発明の第１実施形態の箱を示す図（（ａ）は上方から見た斜視図、（ｂ）は底面図である。）
【図２】本発明の第１実施形態の箱の第１の側面板対の切り取り線を切断し、展示用に変形した図
【図３】本発明の第１実施形態の箱において、底面板の折曲線を切り取り線に変更したことにより、箱を２つに分離した図
【図４】本発明の第１実施形態の別の形態の箱を示す図（（ａ）は上方から見た斜視図、（ｂ）は展示用に変形した図である。）
【図５】本発明の第２実施形態の箱を示す図
【図６】本発明の実施形態における切断開始部１３の拡大図
【図７】本発明の第１実施形態の箱のブランク
【発明を実施するための形態】
【００１３】
本発明の箱は、底面を形成する底面板と、前記底面板の周縁にて連設している複数の側面板と、前記側面板と連設しかつ開口部の少なくとも一部を形成する上面板と、を有する。前記複数の側面板は前記底面板を挟んで対向する第１の側面板対を含み、前記第１の側面板対の各側面板は開口部側の辺から底面板側の辺に向けて延びる切り取り線を有し、前記底面板は前記切り取り線の底面板側の端部を結ぶ折曲線を有する。かかる構成によれば、底面板の折曲線で箱を折り曲げる動作のみで側面板に設けた切り取り線も同時に切断することができる。その結果、手間無く展示用に変形することができる箱を提供することができる。
【００１４】
本発明の箱に詰める内容物としては、飲料や調味料、各種食料品や洗剤、化粧品などが挙げられるが、特にこれらに限定するものではない。
【００１５】
以下、本発明の実施形態の具体例として、例えば図１に示す第１実施形態の箱は、底面を形成する底面板５と、前記底面板５の周縁にて連設している複数の側面板３、４と、前記側面板３、４と連設しかつ開口部１１の少なくとも一部を形成する上面板２と、を有する。前記複数の側面板３、４は前記底面板５を挟んで対向する第１の側面板対を含み、前記第１の側面板対の各側面板３は開口部側の辺から底面板側の辺に向けて延びる切り取り線１２を有し、前記底面板５は前記切り取り線１２の底面板側の端部を結ぶ折曲線１４を有する。
【００１６】
底面板５に設けた折曲線１４に沿って山折に折り曲げることで、図１に示す箱を図２に示すような展示用の箱に変形することができる。このように底面板に設けた折曲線を山折に折り曲げることにより、第１の側面板対に設けた切り取り線が同時に切断される。その結果、箱の収容部が２分割されるとともに、上面板により新たに収容部が形成されて、展示用の箱となる。従って、１回の動作で展示用の箱に変形することができる。
【００１７】
また、底面板の折曲線は切り取り線であってもよい。底面板５にも切り取り線を設けることで底面板も２つに切断できるようになる。例えば、図３に示すように箱を２つに分離し、分離した箱を別々に載置することができる。
【００１８】
さらに、上面板によって一部又は全部を形成する開口部の形状は四角形に限定しなくてもよい。例えば、図４に示すような形状や、多角形、角丸多角形、楕円形、閉曲線などが考えられる。
【００１９】
次に、本発明の第２の実施形態として箱は、上面板が第１の側面板対と連設し、切り取り線は当該上面板において開口部の辺に向かって延びていることとしてもよい。
【００２０】
例えば図５に示すように、箱は、上面板が第１の側面板対と連設し、第１の側面板３の切り取り線１２が上面板２において開口部１１の辺に向かって延びている。
【００２１】
このような上面板の構造にすることにより、展示用に箱を変形して載置した際に収容部に入っている内容物が上面板によって安定して収容されることとなる。また、上面板は第１の側面板に隣接する第２の側面板と連設していてもよい。例えば図５に示すように、上面板が第１および第２の側面板と連設していてもよい。このような構成により、折曲線で折り曲げることで、上面板２が片仮名の「コ」の字の形状となるなど、変形後の収容部を明確に画定することができるため、箱に詰めた内容物が開口部から外側に倒れるのを防ぐことができる。よって、より安定した状態で内容物を収容しつつ載置することができる。
【００２２】
図５に示すような第２実施形態の箱の変形方法については、第１の実施形態の箱と同様に、底面板に設けた折曲線に沿って山折に折り曲げることにより、第１の側面板対及び上面板に設けた切り取り線が同時に切断されて展示用の箱に変形することができる。
【００２３】
なお、第２の実施形態においても、第１の実施形態の箱と同様に底面板に切り取り線を設けて箱を２つに分離し、別々に載置してもよい。また、上面板の開口部の形状についても、四角形に限定しなくてもよいことはもちろんのことである。
【００２４】
次に、切り取り線の開口部側の端部の切断開始部について、切断開始部は第１の側面板又は上面板においてノッチ形状に形成されている。
【００２５】
例えば、切断開始部１３は図１に示すように第１の側面板に設けても良く、図５に示すように上面板に設けても良い。
【００２６】
切断開始部は、例えば図６に示すように、第１の側面板対または上面板の角部を曲線状にすることとしても良い。箱を変形する際、もしくは変形後に切断開始部１３に指等が触れて怪我をするのを防ぐことができる。
【００２７】
次に、本発明の箱を形成するためのブランクは、例えば図７に示すように、底面板５の一対の辺に第２の側面板４と上面板２を、それぞれ折曲線１４を介して順に連設し、当該底面板５の他の一対の辺に第１の側面板３と上面板２を、それぞれ折曲線１４を介して順に連設している。第１の側面板３にはそれぞれ切り取り線１２を設け、底面板５は当該切り取り線１２を結ぶ折曲線１４を有する。第１の側面板３に連設した上面板２には切込部２１を設け、第２の側面板対４に連設した上面板には差込部２２を設ける。
【００２８】
このようなブランクにすることにより、第１及び第２の側面板を立ち上げて上面板を折り曲げ、差込部２２を切込部２１に差し込むというシンプルな作業で箱を組み立てることができる。また、接着剤を用いることなく箱を組み立てることができるため、作業工数及び材料を削減することができる。
【００２９】
なお、切込部２１と差込部２２を設ける位置は、上記した位置に限定しなくてもよい。例えば、第２の側面板対４に連設した上面板にフラップと切込部を設け、第１の側面板対３に連設した上面板に差込部を設けた構成としても良い。また、底面板５の折曲線１４は切り取り線であってもよい。
【符号の説明】
【００３０】
１  箱
２  上面板
３  第１の側面板
４  第２の側面板
５  底面板
１１  開口部
１２  切り取り線
１３  切取開始部
１４  折曲線
２０  ブランク
２１  切込部
２２  差込部
２３  側面形成用フラップ
【図６】
2013180814.tif 000003
【図１】
2013180814.tif 000004
【図２】
2013180814.tif 000005
【図３】
2013180814.tif 000006
【図４】
2013180814.tif 000007
【図５】
2013180814.tif 000008
【図７】
2013180814.tif 000009